(57)【要約】【課題】比較的簡単なシステム構成において、複数の無線通信手段を用いることで、強固な認証を実現する無線通信装置および無線通信データ転送方法を提供する。【解決手段】無線通信装置１を搭載する通信端末７１とデータ処理装置８１とは、無線通信方式１、無線通信方式２、無線通信方式３、…、無線通信方式ｎを介して交互にデータ通信を行うことが可能である。ここで、通信端末７１がデータをデータ処理装置８１に送信する場合、通信端末７１に搭載された無線通信装置１は送信するデータをｎ個に分割し、無線通信方式１にＤａｔａ−１を、無線通信方式２にＤａｔａ−２を、無線通信方式３にＤａｔａ−３を、…、無線通信方式ｎにＤａｔａ−ｎを割り振り、データ処理装置８１に搭載された無線通信装置１に送信する。【選択図】　図２
2004112512.tif 000002
【特許請求の範囲】
【請求項１】
複数の無線通信方式による通信が可能な無線通信装置において、
データを分割するデータ分割手段と、
前記データ分割手段で分割されたデータを識別するための識別データを生成し、該生成した識別データを該データに添付する識別データ添付手段と、
前記データ分割手段で分割されたデータを送信する無線通信方式を、前記複数の無線通信方式の中から、該データ毎に割り当てる割当手段と、
前記割当手段で割り当てた無線通信方式により前記データを分割して送信する分割送信手段と
を具備することを特徴とする無線通信装置。
【請求項２】
少なくとも１つの無線通信方式により、分割データを受信する分割受信手段と、
前記分割受信手段で受信した分割データ毎に添付された識別データに基づき、分割データを合成するデータ合成手段と
を更に具備することを特徴とする請求項１記載の無線通信装置。
【請求項３】
前記データ分割手段で分割するデータの分割数と前記割当手段による無線通信方式の割り当てとを指示する方式を予め設定する方式設定手段
を更に具備することを特徴とする請求項１記載の無線通信装置。
【請求項４】
前記方式設定手段で方式を少なくとも２つ設定した際に、一定時間毎に使用する方式を変更する
ことを特徴とする請求項３記載の無線通信装置。
【請求項５】
前記割当手段は、
前記データが認証情報である際には、前記複数の無線通信方式の中から到達範囲が狭い無線通信方式を割り当てる
ことを特徴とする請求項１記載の無線通信装置。
【請求項６】
前記データが認証情報である際には、無線通信方式の送信出力を制御することで、到達範囲を狭くする
ことを特徴とする請求項１記載の無線通信装置。
【請求項７】
複数の無線通信方式による通信が可能な無線通信装置が行う無線通信データ転送方法において、
データを送信する際に、データを分割するとともに、該分割されたデータに識別データを添付し、
前記分割されたデータを送信する無線通信方式を、前記複数の無線通信方式の中から、該データ毎に割り当て、
該割り当てた無線通信方式により前記データを分割して送信する
ことを特徴とする無線通信データ転送方法。
【請求項８】
分割データを受信した際に、該分割データ毎に添付された識別データに基づき、分割データを合成する
ことを特徴とする請求項７記載の無線通信データ転送方法。
【請求項９】
分割するデータの分割数と前記無線通信方式の割り当てとを指示する方式を予め設定し、
該設定した方式に基づいてデータを分割するとともに、前記データ毎に前記無線通信方式を割り当てる
ことを特徴とする請求項７記載の無線通信データ転送方法。
【請求項１０】
前記方式を少なくとも２つ設定した際に、一定時間毎に使用する方式を変更する
ことを特徴とする請求項９記載の無線通信データ転送方法。
【請求項１１】
前記データが認証情報である際には、前記複数の無線通信方式の中から到達範囲が狭い無線通信方式を割り当てる
ことを特徴とする請求項７記載の無線通信データ転送方法。
【請求項１２】
前記データが認証情報である際には、無線通信方式の送信出力を制御することで、到達範囲を狭くする
ことを特徴とする請求項７記載の無線通信データ転送方法。
【発明の詳細な説明】
【０００１】
【発明の属する技術分野】
本発明は、無線通信装置および無線通信データ転送方法に関し、特に、特に、複数の無線通信方式によるデータ送受信が可能なクライアントとデータ処理装置間の認証を行う無線通信装置および無線通信データ転送方法に関する。
【０００２】
【従来の技術】
近年において、情報処理端末機器のモバイル対応の進展や装置の低価格化にともない、無線通信方式によるデータ転送も広く行われるようになってきた。
【０００３】
そして、ＰＣ（Ｐｅｒｓｏｎａｌ　Ｃｏｍｐｕｔｅｒ）等の情報処理端末機器に搭載される無線通信方式は、これまで２．４ＧＨｚ帯を使用した無線ＬＡＮ（例えば、ＩＥＥＥ８０２．１１およびＩＥＥＥ８０２．１１ｂ等）、若しくは赤外線通信等に限定されていた。
【０００４】
しかし、近年は新たな通信規格が制定され、広く普及しつつある。更に、今後はより高速な通信を行うために、準ミリ波帯などの高周波帯の電波を利用した無線通信方式の検討も進められている。そして、１台の端末に複数方式の無線通信機能が搭載されることも一般的になりつつある。
【０００５】
また、このような無線通信の進化に伴い、モバイル機器を用いてインターネット等のネットワークに接続するサービスも開始され、クライアントは移動中にモバイル機器を用いてネットワークにアクセスして情報を取り出す環境も整いつつある。
【０００６】
【発明が解決しようとする課題】
しかし、このような環境は気軽に情報を取り出したり、インプットすることが可能となる反面、セキュリティの確保は重要な要件となっている。特に、個人の認証に関して、いくつかの先行事例が提案されているが、システムが大掛かりとなる等の課題も残る。
【０００７】
そこで、本発明は、比較的簡単なシステム構成において、複数の無線通信手段を用いることで、強固な認証を実現する無線通信装置および無線通信データ転送方法を提供することを目的とする。
【０００８】
【課題を解決するための手段】
上記目的を達成するために、請求項１の発明は、複数の無線通信方式による通信が可能な無線通信装置において、データを分割するデータ分割手段と、前記データ分割手段で分割されたデータを識別するための識別データを生成し、該生成した識別データを該データに添付する識別データ添付手段と、前記データ分割手段で分割されたデータを送信する無線通信方式を、前記複数の無線通信方式の中から、該データ毎に割り当てる割当手段と、前記割当手段で割り当てた無線通信方式により前記データを分割して送信する分割送信手段とを具備することを特徴とする。
【０００９】
また、請求項２の発明は、請求項１の発明において、少なくとも１つの無線通信方式により、分割データを受信する分割受信手段と、前記分割受信手段で受信した分割データ毎に添付された識別データに基づき、分割データを合成するデータ合成手段とを更に具備することを特徴とする。
【００１０】
また、請求項３の発明は、請求項１の発明において、前記データ分割手段で分割するデータの分割数と前記割当手段による無線通信方式の割り当てとを指示する方式を予め設定する方式設定手段を更に具備することを特徴とする。
【００１１】
また、請求項４の発明は、請求項３の発明において、前記方式設定手段で方式を少なくとも２つ設定した際に、一定時間毎に使用する方式を変更することを特徴とする。
【００１２】
また、請求項５の発明は、請求項１の発明において、前記割当手段は、前記データが認証情報である際には、前記複数の無線通信方式の中から到達範囲が狭い無線通信方式を割り当てることを特徴とする。
【００１３】
また、請求項６の発明は、請求項１の発明において、前記データが認証情報である際には、無線通信方式の送信出力を制御することで、到達範囲を狭くすることを特徴とする。
【００１４】
また、請求項７の発明は、複数の無線通信方式による通信が可能な無線通信装置が行う無線通信データ転送方法において、データを送信する際に、データを分割するとともに、該分割されたデータに識別データを添付し、前記分割されたデータを送信する無線通信方式を、前記複数の無線通信方式の中から、該データ毎に割り当て、該割り当てた無線通信方式により前記データを分割して送信することを特徴とする。
【００１５】
また、請求項８の発明は、請求項７の発明において、分割データを受信した際に、該分割データ毎に添付された識別データに基づき、分割データを合成することを特徴とする。
【００１６】
また、請求項９の発明は、請求項７の発明において、分割するデータの分割数と前記無線通信方式の割り当てとを指示する方式を予め設定し、該設定した方式に基づいてデータを分割するとともに、前記データ毎に前記無線通信方式を割り当てることを特徴とする。
【００１７】
また、請求項１０の発明は、請求項９の発明において、前記方式を少なくとも２つ設定した際に、一定時間毎に使用する方式を変更することを特徴とする。
【００１８】
また、請求項１１の発明は、請求項７の発明において、前記データが認証情報である際には、前記複数の無線通信方式の中から到達範囲が狭い無線通信方式を割り当てることを特徴とする。
【００１９】
また、請求項１２の発明は、前記データが認証情報である際には、無線通信方式の送信出力を制御することで、到達範囲を狭くすることを特徴とする。
【００２０】
【発明の実施の形態】
以下、本発明に係わる無線通信装置および無線通信データ転送方法の実施の形態について添付図面を参照して詳細に説明する。
【００２１】
図１は、本発明に係わる無線通信装置１の概略構成の一例を示すブロック図である。
【００２２】
図１に示すように、無線通信装置１は、制御部２、データ処理部３、プレアンブル生成部４、分割パターンテーブル５および各無線通信方式に対応する通信制御部（図１では、無線通信方式１通信制御部６１、無線通信方式２通信制御部６２、無線通信方式３通信制御部６３、…、無線通信方式ｎ通信制御部６ｎ）から構成されている。
【００２３】
ここで、制御部２は無線通信装置１全体の制御等を行い、データ処理部３は送信するデータの分割処理、および受信した分割データの合成処理を行い、プレアンブル生成部４は分割した個々のデータに添付するプレアンブルを生成し、分割パターンテーブル５はデータを分割する際の分割数と分割したデータの無線通信方式への割り当てとを格納している。
【００２４】
また、無線通信方式（１〜ｎ）通信制御部は、各無線通信方式を介して送られてきたデータの受信、および各無線通信方式を介して送るデータの送信を行う。
【００２５】
図２は、無線通信装置１を搭載した通信端末７１とデータ処理装置８１とが構成する通信環境の第１の実施例を示す図である。
【００２６】
図２に示すように、無線通信装置１を搭載する通信端末７１とデータ処理装置８１とは、ｎ個の無線通信方式（図１においては、無線通信方式１、無線通信方式２、無線通信方式３、…、無線通信方式ｎ）を介して交互にデータ通信を行うことが可能である。なお、通信端末７１はＰＣ若しくはＰＤＡ等の情報処理端末機器であり、データ処理装置８１はサーバ若しくはプリンタ等である。
【００２７】
ここで、通信端末７１がデータをデータ処理装置８１に送信する場合、通信端末７１に搭載された無線通信装置１は送信するデータをｎ個に分割し、分割したデータをｎ個の無線通信方式に割り振り（図１では、無線通信方式１にＤａｔａ−１を、無線通信方式２にＤａｔａ−２を、無線通信方式３にＤａｔａ−３を、…、無線通信方式ｎにＤａｔａ−ｎを割り振る）、データ処理装置８１に搭載された無線通信装置１に送信する。
【００２８】
図３は、無線通信装置１が分割したデータの分割例と、分割したデータの無線通信方式への割り当て例を示す図である。
【００２９】
図３に示すように、送信するデータである「送信Ｄａｔａ−０」を「Ｄａｔａ−１」、「Ｄａｔａ−２」、「Ｄａｔａ−３」に３分割する。そして、「Ｄａｔａ−１」に「プレアンブル１」を添付し、「Ｄａｔａ−２」に「プレアンブル２」を添付し、「Ｄａｔａ−３」に「プレアンブル３」を添付する。そして、「Ｄａｔａ−１」を無線通信方式１で送信し、「Ｄａｔａ−２」を無線通信方式２で送信し、「Ｄａｔａ−３」を無線通信方式３で送信する。
【００３０】
図４は、プレアンブルのフォーマットの一例を示す図である。
【００３１】
図４に示すように、プレアンブルは、データを割り当てる無線通信方式「通信方式Ｔａｇ」、データのサイズ「Ｄａｔａ　Ｓｉｚｅ（パケット長）」、データ名「Ｄａｔａ」、データ合成時の識別番号「識別番号（ＩＤ）」から構成されている。つまり、分割データを受信した無線通信装置１は、各データに添付されたプレアンブルに基づき、データの合成を行う。
【００３２】
図５は、分割パターンテーブルに格納されたデータを分割する際の分割数と分割したデータの無線通信方式への割り当てとのテーブルの一例を示す図である。
【００３３】
図５に示すように、「方式ａ」では、データを分割せずに無線通信方式１のみで送信する。また、「方式ｂ」では、データを２個に分割して無線通信方式１と無線通信方式２とで送信する。また、「方式ｃ」では、データを３個に分割して無線通信方式１と無線通信方式２と無線通信方式３とで送信する。また、「方式ｄ」では、データを４個に分割し、２個のデータを無線通信方式１で、１個のデータを無線通信方式２で、１個のデータを無線通信方式３で送信する。また、「方式ｅ」では、データを５個に分割し、２個のデータを無線通信方式１で、２個のデータを無線通信方式２で、１個のデータを無線通信方式３で送信する。また、「方式ｆ」では、データを６個に分割し、２個のデータを無線通信方式１で、２個のデータを無線通信方式２で、２個のデータを無線通信方式３で送信する。
【００３４】
ここで、データを分割する際に使用する方式を一定時間毎に指定する方式を変更する構成にすることで、更に秘匿性を高めることが可能になる。例えば一定時間毎に指定する方式を「方式ａ」→「方式ｂ」→「方式ｃ」→「方式ｄ」→「方式ｅ」→「方式ｆ」と変更する。なお、一定時間毎に指定する方式を変更するだけでなく、使用する度に指定する方式を変更する等の構成でも適用可能である。
【００３５】
次に、無線通信装置１がデータを分割して送信する際に行う処理手順について図６に示すフローチャートを参照して説明する。
【００３６】
分割パターンテーブルに格納されたテーブルから指定された方式を検出し（ステップＳ６０１）、指定された方式に基づいてデータを分割し（ステップＳ６０２）、分割したデータ分のプレアンブルを生成し（ステップＳ６０３）、生成したプレアンブルを分割したデータに添付し（ステップＳ６０４）、指定された方式に基づいて分割したデータを各無線通信方式に割り当て（ステップＳ６０５）、分割したデータを送信し（ステップＳ６０６）、処理手順を終了する。
【００３７】
次に、無線通信装置１が分割されたデータを受信する際に行う処理手順について図７に示すフローチャートを参照して説明する。
【００３８】
複数の無線通信方式により分割されたデータを受信し（ステップＳ７０１）、分割された各データに添付されたプレアンブルを検出し（ステップＳ７０２）、検出したプレアンブルに基づいてデータを合成し（ステップＳ７０３）、処理手順を手順を終了する。
【００３９】
図８は、無線通信装置１を搭載した通信端末７２とデータ処理装置８２とが構成する通信環境の第２の実施例を示す図である。
【００４０】
図８に示す第２の実施例は、無線通信装置１を搭載するＰＣ若しくはＰＤＡ等の情報処理端末機器である通信端末７２と、無線通信装置１を搭載するプリンタ等のようなデータを出力する機能を有するデータ処理装置８２とは２つの無線通信方式（図８においては、無線通信方式１および無線通信方式２）を介して交互にデータ通信を行うことが可能であり、データ処理装置８２は通信端末７２から送信されたデータを出力したり、ネットワーク９を介してサーバ１０と接続し、通信端末７２の指示等によって、サーバ１０に格納されたデータを出力することが可能な構成である。
【００４１】
ここで、通信端末７２はデータ処理装置８２に認証情報を送信することで、データ処理装置８２とのネットアクセスをオープンにし、出力データをデータ処理装置８２から出力しようとする。
【００４２】
まず、認証情報を２つに分割し（例えば、ＩＤ１とＩＤ２とに分割）、ＩＤ１を無線通信方式１で、ＩＤ２を無線通信方式２でデータ処理装置８２に送信する。そして、データ処理装置８２は受信したＩＤ１とＩＤ２とを合成することで認証情報を取得して通信端末７２を認証すると、データ処理装置８２は通信端末７２とのネットアクセスをオープンにする。そして、通信端末７２はデータ処理装置８２に出力データを送信し、データ処理装置８２は受信した出力データを出力する。また、通信端末７２はデータ処理装置８２とネットワーク９を介して接続するサーバ１０に格納されたデータの位置情報を示すＵＲＬ等をデータ処理装置８２に送信することで、データ処理装置８２はサーバに格納されたデータを出力する。
【００４３】
図９は、無線通信装置１を搭載した通信端末７３とデータ処理装置８３とが構成する通信環境の第３の実施例を示す図である。
【００４４】
図９に示すように、無線通信装置１を搭載する通信端末７３とデータ処理装置８３とは、３つの無線通信方式（図９においては、無線通信方式１、無線通信方式２、無線通信方式３）を介して交互にデータ通信を行うことが可能である。なお、データ転送速度の大きな無線通信方式は（つまり、電波の到達範囲が広い無線通信方式）、「無線通信方式１＞無線通信方式２＞無線通信方式３」の順になる。また、通信端末７３はＰＣ若しくはＰＤＡ等の情報処理端末機器であり、データ処理装置８３はサーバ若しくはプリンタ等である。
【００４５】
ここで、通信端末７３がデータをデータ処理装置８３に送信する際は、通常、データ転送速度の大きな無線通信方式１で送信するか、データを分割して複数の無線通信方式で送信する。
【００４６】
ただし、通信端末７３が認証情報をデータ処理装置８３に送信する際は、電波の到達範囲が狭い無線通信方式３で送信することにより、認証情報の秘匿性を確保することができる。また、複数の無線通信方式で送信する際は、電波の到達範囲が狭い無線通信方式３および無線通信方式２を選択すれば良い。また、電波の送信出力が可変の場合は、送信出力を小さくして送信しても良い。
【００４７】
従って、上記のように電波の到達範囲を考慮に入れて送信する無線通信方式を選択することで、認証情報の秘匿性が向上する。
【００４８】
【発明の効果】
以上説明したように本発明によれば、比較的簡単なシステム構成において、複数の無線通信手段を用いることで、強固な認証を実現するという効果を奏する。
【図面の簡単な説明】
【図１】本発明に係わる無線通信装置１の概略構成の一例を示すブロック図である。
【図２】無線通信装置１を搭載した通信端末７１とデータ処理装置８１とが構成する通信環境の第１の実施例を示す図である。
【図３】無線通信装置１が分割したデータの分割例と、分割したデータの無線通信方式への割り当て例を示す図である。
【図４】プレアンブルのフォーマットの一例を示す図である。
【図５】分割パターンテーブルに格納されたデータを分割する際の分割数と分割したデータの無線通信方式への割り当てとのテーブルの一例を示す図である。
【図６】無線通信装置１がデータを分割して送信する際に行う処理手順を示すフローチャートである。
【図７】無線通信装置１が分割されたデータを受信する際に行う処理手順を示すフローチャートである。
【図８】無線通信装置１を搭載した通信端末７２とデータ処理装置８２とが構成する通信環境の第２の実施例を示す図である。
【図９】無線通信装置１を搭載した通信端末７３とデータ処理装置８３とが構成する通信環境の第３の実施例を示す図である。
【符号の説明】
１　　無線通信装置
２　　制御部
３　　データ処理部
４　　プレアンブル生成部
５　　分割パターンテーブル
９　　ネットワーク
１０　　サーバ
６１　　無線通信方式１通信制御部
６２　　無線通信方式２通信制御部
６３　　無線通信方式３通信制御部
６ｎ　　無線通信方式ｎ通信制御部
７１、７２、７３　　通信端末
８１、８２、８３　　データ処理装置
【図１】
2004112512.tif 000003
【図２】
2004112512.tif 000004
【図３】
2004112512.tif 000005
【図４】
2004112512.tif 000006
【図５】
2004112512.tif 000007
【図６】
2004112512.tif 000008
【図７】
2004112512.tif 000009
【図８】
2004112512.tif 000010
【図９】
2004112512.tif 000011